(57)【要約】    【課題】  側壁外周面に取付けられた化粧板について破損，変形等が生じた場合に、必要最小限の部材のみの交換を可能とすることにより、省スペースでかつ簡易にメンテナンス作業を行うことを可能とする外装構造を備えた平型オープンショーケースを提供する。    【解決手段】  平型オープンショーケース１の外装構造を構成する化粧板２は、上部化粧板７と下部化粧板８とに分割され、手摺レール５の外周側に差込まれて係止されるとともに、上部化粧板７の下端部と下部化粧板８の上端部とを重ね合わせた接合部にサイドバンパー３を取付けるためのバンパーレール１１が取外し可能に固定される。コーナーバンパー４は、平型オープンショーケース１の側壁の四隅に設けられたバンパー係止部に係止され、風防板６は、手摺レール５の内周側に形成された溝部に嵌込まれるとともに、両側端近傍の上部が風防コーナーカバー１５により押えられる。【選択図】      図２
2005334086.tif 000002
【特許請求の範囲】
【請求項１】
上部開口の商品陳列室と当該商品陳列室を所定の高さに保持する下部機械室とのそれぞれの側壁を略面一状に形成した平型オープンショーケースであって、
前記側壁の外周面に取付けられる化粧板を上，下に分割するとともに、分割した下部側化粧板を、上部側化粧板に対して、固定具により取外し可能に固定することを特徴とする平型オープンショーケース。
【請求項２】
前記上部側化粧板における下部側化粧板の接合部分に、目隠し部材を取外し可能に固定することを特徴とする請求項１に記載の平型オープンショーケース。
【請求項３】
前記目隠し部材は、前記接合部分に対応して延長し、固定具により取外し可能に固定するバンパーレールと、当該バンパーレールに対し取外し可能に支持されるバンパー部材とから構成したことを特徴とする請求項２に記載の平型オープンショーケース。
【請求項４】
前記上部化粧板の上端部を外方向に傾斜させて構成し、前記側壁上端部に取り付けられる手摺レールの外周側下部に、前記上部側化粧板側化粧板の上端が差込み可能な開口を形成するとともに、当該開口内に前記上端部を係止する係止部を設けることを特徴とする請求項１〜３のいずれかに記載の平型オープンショーケース。
【請求項５】
前記手摺レールの内周側に風防ガラスを支持する溝部を形成することを特徴とする請求項１〜４のいずれかに記載の平型オープンショーケース。
【請求項６】
前記側壁外周側の四隅に取付けられるコーナーバンパーであって、略円弧状の外周部の両端に爪部を形成し、前記四隅に設けられた垂直方向に延長するバンパー部材係止片に前記爪部を係止することを特徴とする請求項１〜５のいずれかに記載の平型オープンショーケース。
【請求項７】
前記コーナーバンパーの上端部と、前記風防板の両側端部とを上方から押さえる風防カバーを備えることを特徴とする請求項１〜６のいずれかに記載の平型オープンショーケース。
【発明の詳細な説明】
【技術分野】
【０００１】
本発明は、上部開口の箱形の商品陳列室を有する平型オープンショーケースの外装構造に関する。
【背景技術】
【０００２】
従来より、スーパーマーケット等のセルフサービス方式の店舗において、冷蔵食品や生鮮食品等の陳列に、上部開口の平型オープンショーケースが用いられている。
この種の平型オープンショーケースは、上部開口の箱形に形成された商品陳列室と、下部機械室とから構成されており、断熱パネルにより構成された商品陳列室の側壁の外周面には、化粧板がリベット等により固定されていた。近藤  達夫舗内では、一般に商品運搬用の台車やショッピングカート等が行き来するため、台車等の衝突により側壁外周面の化粧板に破損，変形等が生じやすい状況となっていた。
そのため、従来、平型オープンショーケースのコーナー部分の破損，変形を防止するとともに、外装部分を交換可能とした構成として、断熱パネルで構成された側壁外周の四隅（コーナー部）に垂直方向に延長するコーナーバンパー固定溝を形成するとともに、側壁上部に化粧板を差込み可能な隙間を形成することにより、コーナーバンパーと化粧板とを取外し可能に固定した構成が公知となっている（例えば、特許文献１参照。）。
【特許文献１】特開２００３−１８０４９２号公報
【発明の開示】
【発明が解決しようとする課題】
【０００３】
しかし、前記特許文献１に記載された構成は、商品陳列室を所定の高さに支持する下部機械室の外周形状が商品陳列室よりも小さく設定されている平型オープンショーケースを前提としたものであった。従って、下部機械室の側壁部分については、台車の衝突等を考慮する必要が無かった。
一方、近時の平型オープンショーケースとしては、下部機械室部分の側壁を、上部の商品陳列室と略面一状に形成したものも用いられているが、このような形状の平型オープンショーケースの場合、コーナー部だけでなく下部機械室部分の側壁外周面についても台車等が衝突し易いため、化粧板の破損，変形等が問題となっていた。
この場合、前記特許文献１に記載された構成においても化粧板は取外し可能に構成されているが、側壁外周面の一面に対し一枚の化粧板を取り付ける構成としているため、化粧板の下部等の一部に変形，破損等が生じた場合であっても、側壁外周面の一面全体の化粧板を交換する必要があった。従って、交換する化粧板が大きなものとなるため作業が煩雑なものとなり、特に、コンビニエンスストア等のように店舗内のスペースが狭く、また、２４時間営業を行う店舗において、営業時間中に化粧板の交換作業を行うことが困難なものとなっていた。
【０００４】
本発明は、前記課題を解決するためのものであり、側壁外周面に取付けられた化粧板について破損，変形等が生じた場合に、必要最小限の部材のみの交換を可能とすることにより、省スペースでかつ簡易にメンテナンス作業を行うことを可能とする外装構造を備えた平型オープンショーケースを提供することを目的とする。
【課題を解決するための手段】
【０００５】
上記の課題を解決するため本発明は、上部開口の商品陳列室と当該商品陳列室を所定の高さに保持する下部機械室とのそれぞれの側壁を略面一状に形成した平型オープンショーケースであって、前記側壁の外周面に取付けられる化粧板を上，下に分割するとともに、分割した下部側化粧板を、上部側化粧板に対して、固定具により取外し可能に固定することを特徴とする平型オープンショーケース。
また、前記上部側化粧板における下部側化粧板の接合部分に、目隠し部材を取外し可能に固定することを特徴とする。
また、前記目隠し部材は、前記接合部分に対応して延長し、固定具により取外し可能に固定するバンパーレールと、当該バンパーレールに対し取外し可能に支持されるバンパー部材とから構成したことを特徴とする。
また、前記上部化粧板の上端部を外方向に傾斜させて構成し、前記側壁上端部に取り付けられる手摺レールの外周側下部に、前記上部側化粧板側化粧板の上端が差込み可能な開口を形成するとともに、当該開口内に前記上端部を係止する係止部を設けることを特徴とする。
また、前記手摺レールの内周側に風防ガラスを支持する溝部を形成することを特徴とする。
また、前記側壁外周側の四隅に取付けられるコーナーバンパーであって、略円弧状の外周部の両端に爪部を形成し、前記四隅に設けられた垂直方向に延長するバンパー部材係止片に前記爪部を係止することを特徴とする。
また、前記コーナーバンパーの上端部と、前記風防板の両側端部とを上方から押さえる風防カバーを備えることを特徴とする。
【発明の効果】
【０００６】
以上、説明したように、本発明の平型オープンショーケースによれば、次のような効果を奏する。
（１）側壁外周面に取付けられる化粧板を、上，下に複数に分割して構成したので、破損，変形等の生じた部分のみを交換することが可能となる。特に、下部機械室の外周と商品陳列室の外周とが略面一状に形成された平型オープンショーケースについて、台車等の衝突により化粧板の下部のみに破損，変形等が生じた場合に、狭い店舗内等においても容易に交換作業を行うことが可能となる。
（２）また、上，下に分割した化粧板の接合部に目隠し部材を取付けることとしたので、ショーケースのデザイン性を損なうことがなくなる。また、目隠し部材として、バンパー部材を用いることとしたので、化粧板に対する台車等の衝突による破損，変形を減少させることが可能となる。
（３）また、コーナーバンパー，風防板，手摺レールについても比較的容易に交換可能な構成としたため、破損，変形等の生じた部材のメンテナンス作業における作業者の負担軽減を図ることができる。
【発明を実施するための最良の形態】
【０００７】
以下、本発明の一実施の形態について、図面に基づき説明する。
図１は本発明の一実施の形態に係る平型オープンショーケースを示す斜視図、図２は本実施の形態に係る平型オープンショーケースの外装構造の一例として、短尺側の外装構造を示す分解斜視図、図３は図２に示す短尺側の化粧板の支持構造を示す拡大斜視図、図４はサイドバンパーの支持構造を示す拡大斜視図、図５はコーナーバンパーの支持構造を示す拡大斜視図である。
各図に示すように、本実施の形態に係る平型オープンショーケース１は、上部開口の箱形に形成された商品陳列室１ａと、商品陳列室を所定高さに保持する下部機械室（図示は省略）とから構成され、下部機械室内には、冷凍機構成機器が収納されている。
商品陳列室１ａを構成する内部パネルと、断熱パネルにより構成された側壁との間には、循環ダクトが形成されており、循環ダクト内に配設された循環ファン及び冷却器により冷却されて循環される冷気が、商品陳列室１ａの一方の側壁上部に設けられた冷気吹出口から吹出され、他方の側壁上部に設けられた冷気吸込口に吸込まれることにより、商品陳列室１ａの開口部に冷気エアカーテンを形成し、商品陳列室１ａ内を冷却している。
【０００８】
本実施の形態では、図１に示すように、平型オープンショーケース１の外装構造として、商品陳列室１ａ及び下部機械室の四周を囲う側壁の外周面を構成する化粧板２と、化粧板２の外周面の所定位置に取付けられたサイドバンパー３と、側壁の外周側の四隅（コーナー部）に取付けられたコーナーバンパー４と、側壁の上端部に取付けられた手摺レール５と、風防板６とから構成されている。
化粧板２は、図２に示すように、上部化粧板７と下部化粧板８とに分割され、手摺レール５の外周側に差込まれて係止されるとともに、上部化粧板７の下端部と下部化粧板８の上端部とを重ね合わせた接合部にサイドバンパー３を構成するサイドバンパー本体９とエンドキャップ１０とを取付けるためのバンパーレール１１が、ビス等の固定具により取外し可能に固定される。なお、図示は省略しているが、平型オープンショーケース１の長尺側の化粧板２についても同様に構成されている。この場合、下部化粧板には、従来と同様に構成された機械室カバー等を取付けることとしてもよい。
コーナーバンパー４は、平型オープンショーケース１の側壁の四隅（コーナー部）に設けられたバンパー係止部に係止されるものであり、コーナーバンパー本体１２と、コーナーバンパー本体１２の下端を支持する下部コーナーカバー１３と、コーナーバンパー本体１２の上端に嵌込まれる上部コーナーカバー１４と、上部コーナーカバー１４及び風防板６の左右端を上方から押える風防コーナーカバー１５とから構成される。
風防板６は、アクリル，ガラス等の透明板で構成されており、手摺レール５の内周側に形成された溝部に嵌込まれるとともに、両側端近傍の上部が風防コーナーカバー１５により押えられる。
以上の構成により、台車の衝突等により破損，変形等の生じた箇所について、必要最小限の部材のみを交換可能としている。
【０００９】
以下、各部材の支持構造の詳細について説明する。
化粧板２は、図３に示すように、上部化粧板２ａの上端部７ａが外方向に傾斜して形成されており、手摺レール５の外周側下端の開口部５ａから上端部７ａが差込まれて、外周部内の凸部（係止部）５ｂにより係止される。
上部化粧板７と下部化粧板８との接合部は、図２に示すように、各化粧板７，８と、バンパーレール１１とにそれぞれ設けられた通し孔７ｂ，８ａ，１１ａと、平型オープンショーケース１の側壁に設けられたビス孔（図示は省略）とに対し、固定具としてのビスを羅着して取外し可能に固定する。
下部化粧板８の下端部８ｂは、側壁底部側に折曲しており、例えば、側壁底部に対してビス等により固定する。
なお、上部，下部化粧板７，８の両側端部は内方向に折曲しており、平型オープンショーケース１の側壁とコーナー部材との間の隙間に差込まれる。
バンパーレール１１には、図２，図４に示すように、サイドバンパー本体９及びエンドキャップ１０により構成されるサイドバンパー３が取付けられる。サイドバンパー本体９は、側面視略台形状に形成された外周部を有し、外周部の内周面において長尺方向に延長する２つの溝部９ａが形成されており、側面視略コ字状のバンパーレール１１の両端部に設けられたＣ字状の２つのレール部１１ｂが溝部９ａに嵌め込まれることにより、バンパーレール１１にサイドバンパー本体９が取付けられる。
手摺レール５は、内周側に設けられた溝部５ｃに設けられたビス孔により、側壁上端部に対してビスが螺着されて、取外し可能に固定されている。
風防板６は、手摺レール５の内周側に設けられた溝部５ｃに嵌め込まれ、長尺方向の両端部の平坦面６ａが、風防コーナーカバー１５の端部下面側に形成された溝部（図示は省略）に嵌め込まれる。
なお、図２に示すように、手摺レール５の長尺方向の両端には、エンドキャップ１６が嵌め込まれ、上部コーナーカバー１４との隙間を埋めている。
【００１０】
コーナーバンパー本体３は、図５に示すように、側壁外周側の四隅に備えられたバンパー係止部材１７により取外し可能に支持されている。バンパー係止部材１７は、アルミニウム等の金属や強化プラスチック等の強度材料により構成された長尺のＬ字状の部材であり、側壁の外周側の四隅に設けられた略角柱状のコーナー部材１８の外周面に取り付けられ、コーナー部材１８から突出する係止片１７ａを有している。コーナーバンパー本体１２は、略円弧状に形成された外周部１２ａを有し、両端部には、バンパー係止部材１７の係止片１７ａに係止する爪部１２ｂが設けられている。また、コーナーバンパー本体１２の内周面には、バンパー係止部材１７の外周面に当接する突出部１２ｃが形成されている。突出部１２ｃは、コーナーバンパー本体１２の位置決め及び補強用の部材として機能する。
コーナー部材１８の下端部には、下部コーナーカバー１３がビス等の固定具により取外し可能に固定されている。下部コーナーカバー１３は、コーナーバンパー本体１２の外周部１２ａに対して面一状となる外周部１３ａを有するとともに、外周部１３ａの内周面には、コーナーバンパー本体１２の突出部１２ｃに沿うように立設する断面視略コ字状の突出部１３ｂと、コーナーバンパー本体１２の内周面に沿うように形成された薄板部１３ｃが設けられている。突出部１３ｂ及び薄板部１３ｃは、コーナーバンパー本体１２の位置決め部材として機能する。
一方、コーナーバンパー本体１２の上端に取付けられる上部コーナーカバー１４は、コーナーバンパー本体１２の外周部１２ａに沿って円弧状に形成されるとともに、手摺レール５に沿って形成された段差部を有する外周部１４ａを備えている。外周部の底面側には、下部コーナーカバー１３の突出部１３ｂに対向するように形成された断面視略コ字状の突出部１４ｂが設けられている。なお、上部コーナーカバー１４の内周側には手摺レール５に嵌込まれた風防ガラス６の端部が配置されるとともに、内周面側隅部には発砲スチロールなどの塞ぎ部材（図示は省略）が配設される。
上部コーナーカバー１４の上端部には、風防コーナーカバー１５の内周面に沿って形成された薄板部１４ｃが設けられている。
風防コーナーカバー１５は、商品陳列室１ａ内の四隅に立設する支持片（図示は省略）に対してビス等により取外し可能に固定される。
【００１１】
以上のように構成された平型オープンショーケース１についての外装部材の交換方法の一例について説明する。
図２に示すように、側壁外周側の化粧板２を交換する場合は、まず、サイドバンパー３をバンパーレール１１から取外し、その後、バンパーレール１１及び上部，下部化粧板７，８を固定するビスを外し、バンパーレール１１を取外す。サイドバンパー３の取外しの際には、エンドキャップ１０を取外した後、サイドバンパー本体９を外方向に引っ張るか、バンパーレール１１の長尺方向にスライドさせて取外す。
以上のように、バンパーレール１１を取外すことにより、上部化粧板７と下部化粧板８との接合部はフリーな状態となるため、交換の必要な上部化粧板７又は下部化粧板８のいずれか一方のみを取外して交換する。いずれかの化粧板７，８を交換した後は、両化粧板７，８の接合部に対し、バンパーレール１１をビスにより固定した後、サイドバンパー３を取付けて交換作業を終了する。
また、風防板６については、風防コーナーカバー１５を固定するビス等を外して風防コーナーカバー１５を取外すことにより、交換が可能となり、手摺レール５については、風防板６を取外した後、ビスを外すことにより交換が可能となる。
また、コーナーバンパー４については、風防コーナーカバー１５及び上部コーナーカバー１４を取外した後、上方にスライドさせることにより、コーナーバンパー本体１２を取外す。この場合、外周部１２ａの両端に設けられた爪部１２ｂのみにより係止することとしたので、コーナーバンパー本体１２を容易にスライドさせることが可能となり、交換作業の負担が軽減することとなる。
【００１２】
以上のように、本実施の形態に係る平型オープンショーケースでは、側壁外周面に取り付けられた上部，下部の各化粧板、各化粧板の接合部に取り付けられたバンパー部材、コーナーバンパー等、各外装部材が容易に取外し可能に構成されているため、台車やショッピングカート等の衝突により、外装部材の一部に破損，変形が生じた場合であっても、破損等の生じた部材のみを交換すればよいこととなる。
特に、下部機械室の外周が商品陳列室の外周と略面一となるように構成された平型オープンショーケースの場合において、台車等の衝突し易い化粧板の下部についてのみ交換可能に構成したため、狭い店舗内等においても、容易に交換作業を行うことが可能となる。
また、上部，下部の両化粧板の接合部に目隠し部材としてサイドバンパーを取付けることとしたので、ビス等の固定具が外観上に現れることがないため、デザイン性を損なうことがなくなる。また、サイドバンパーを取付けることにより、下部化粧板についての台車等の衝突による破損，変形等を減少させることができる。
また、コーナーバンパーの支持構造として、コーナーバンパー本体の両端に設けた爪部のみにより係止する構成としたので、コーナーバンパー本体の取付け，取外し作業を比較的容易に行うことが可能となる。
また、風防板を手摺レールの溝部に嵌込むとともに、両端部近傍を風防コーナーカバーで押さえる構成としたので、風防コーナーカバーを取外すだけで、容易に交換作業を行うことが可能となる。
【００１３】
なお、前記実施の形態では、化粧板を上，下に２分割することとしているが、この構成に限られるものではなく、さらに複数に分割してもよく、また、左，右方向に複数に分割することとしてもよい。
また、下部化粧板の下端部については、必ずしもビス等で固定する必要は無く、側壁底部等に設けた係止部に係止する構成としてもよい。
また、固定具としては、ビスに限られるものではなく、取外し可能に構成できるものであれば他の部材を用いることとしてもよい。
【図面の簡単な説明】
【００１４】
【図１】本発明の一実施の形態に係る外装構造を備えた平型オープンショーケースの一例を示す斜視図である。
【図２】外装構造の一例を示す分解斜視図である。
【図３】化粧板の支持構造を示す要部拡大斜視図である。
【図４】サイドバンパーの支持構造を示す要部拡大斜視図である。
【図５】コーナーバンパーの支持構造を示す要部拡大斜視図である。
【符号の説明】
【００１５】
１    平型オープンショーケース
２    化粧板
３    サイドバンパー
４    コーナーバンパー
５    手摺レール
６    風防板
６ａ  平坦面
７    上部化粧板
７ａ  上端部
７ｂ  通し孔
８    下部化粧板
８ａ  通し孔
８ｂ  下端部
９    サイドバンパー本体
９ａ  溝部
１０    エンドキャップ
１１    バンパーレール
１１ａ  通し孔
１１ｂ  レール部
１２    コーナーバンパー本体
１２ａ  外周部
１２ｂ  爪部
１２ｃ  突出部
１３    下部コーナーカバー
１３ａ  外周部
１３ｂ  突出部
１３ｃ  薄板部
１４    上部コーナーカバー
１４ａ  外周部
１４ｂ  突出部
１４ｃ  薄板部
１５    風防コーナーカバー
１６    エンドキャップ
１７    バンパー係止部材
１７ａ  係止片
１８    コーナー部材
【図１】
2005334086.tif 000003
【図２】
2005334086.tif 000004
【図３】
2005334086.tif 000005
【図４】
2005334086.tif 000006
【図５】
2005334086.tif 000007